(57)【要約】  【課題】冷蔵庫の最下部に位置する野菜室の容積効率を上げ、使用者の使い勝手を向上させること。  【解決手段】上から冷蔵室１０４、冷凍室１０７、最下部に野菜室１０８を構成した冷蔵庫において、冷蔵庫本体背面上部に圧縮機１０２を、冷凍室１０７の後方位置に蒸発器１０９を、この蒸発器１０９の下方に排水経路２０２とドレン水を庫外に導く排水管２０３を、冷蔵庫本体背面下部に除霜水蒸発装置１１０を配置し、除霜水蒸発装置１１０の蒸発皿２０４に発熱手段２０５を構成することで、蒸発能力を高め、除霜水蒸発装置１１０をコンパクトにすることにより、最下部の野菜室１０８の貯蔵効率を大幅に向上させることが出来る。【選択図】図１
2010121842.tif 000002
【特許請求の範囲】
【請求項１】
上から冷蔵室、冷凍室、最下部に野菜室を構成した冷蔵庫において、冷蔵庫本体背面上部に圧縮機を、冷凍室の後方位置に蒸発器を、この蒸発器の下方に排水経路とドレン水を庫外に導く排水管を、冷蔵庫本体背面下部に除霜水蒸発装置を配置し、前記除霜水蒸発装置は、排水管の下方にドレン水を受ける上面を密閉化した皿形状の蒸発皿と、前記蒸発皿は発熱手段と、少なくとも２つの開口部と、内部空間に形成された風路と、前記風路に空気を強制対流させる送風手段で構成することを特徴とする冷蔵庫。
【請求項２】
除霜水蒸発装置の発熱手段をコンデンサー冷媒配管とし、蒸発皿の外面に当接することを特徴とする請求項１記載の冷蔵庫。
【請求項３】
除霜水蒸発装置の蒸発皿の内側を区画する蒸発促進板を有し、前記蒸発促進板と前記蒸発皿の内面に発熱手段のコンデンサー冷媒配管を当接することを特徴とする請求項１記載の冷蔵庫。
【請求項４】
除霜水蒸発装置の蒸発皿内面に発熱手段のコンデンサー冷媒配管を螺旋形状として配設したことを特徴とする請求項１記載の冷蔵庫。
【請求項５】
除霜水蒸発装置の蒸発皿の外面は断熱層を設けたことを特徴とする請求項１から４のいずれか１項に記載の冷蔵庫。
【発明の詳細な説明】
【技術分野】
【０００１】
本発明は、除霜水の蒸発装置及び冷蔵庫に関するものである。
【背景技術】
【０００２】
従来、この種の冷蔵庫の除霜水の蒸発方式は、発熱部品の冷却または放熱と共に得られる熱を蒸発皿に貯められた除霜水を蒸発させるために利用する方式を採用している。熱源については様々な方法があり、例えば直接的に除霜水を加熱する場合もある。
【０００３】
図７（ａ）（ｂ）は、特許文献１に記載された従来の冷蔵庫を示すものである。図７に示すように、冷蔵庫本体１の上側に設けられ、冷凍サイクルが収納された冷凍サイクル収納部２と、冷蔵庫本体１の下部に設けられた蒸発皿３と、冷蔵庫本体１に設けられ、冷凍サイクル収納部２の横には蒸発器４と蒸発器４の表面の霜を取り除く熱源手段５が設けられている。
【０００４】
熱源手段５が加熱する際、滴下する除霜水を蒸発皿３に供給する水通路６と、冷凍サイクル収納部２に外気を吸引することに伴い、冷凍サイクルの発熱部品により外気を加熱して温風化するファン装置７と、冷蔵庫本体１に設けられ、ファン装置７から吐出された温風を蒸発皿３に供給するダクト８を備えた構成になっている。
【０００５】
次に図７及び図８より従来の冷凍サイクルの構成について概略を説明する。圧縮機９から吐出された高温のガス冷媒はコンデンサ１０を通る過程で中温の液冷媒となり、キャピラリーチューブ１１により低温の液冷媒となる。蒸発器４に低温液冷媒が通る過程で蒸発が起き低温のガス冷媒となり圧縮機９へ戻る閉ループとなっている。蒸発器４は低温であるため貯蔵室庫内１２の空気と熱交換する際に蒸発器４表面へ霜として形成されていく。
【０００６】
圧縮機９の運転時間が経過するにつれ霜は蓄積されるため、適宜、蒸発器４表面の霜を取り除くため熱源手段５が加熱され、霜を除霜し除霜水は水通路６を経て蒸発皿３に供給される。冷凍サイクル収納部２にある発熱部品である圧縮機９、コンデンサ１０をファン装置７により外気から吸い込む空気により冷却及び放熱させ、そこで発生した温風をダクト８から蒸発皿３の開口部へ送られ蒸発皿３の中の水温を上昇させ蒸発させる方式になっている（例えば、特許文献１参照）。
【特許文献１】特開平８−２４７６２６号公報
【発明の開示】
【発明が解決しようとする課題】
【０００７】
この種の蒸発方式の場合、水を蒸発させる因子としては大きく次の３項目がある。第一として水面風速、第二として水温、第三として水と外気が接触する開口部面積である。しかしながら、上記従来の構成では、蒸発皿３表面を通過する風速が弱く水の蒸発促進が非効率であり、また熱源が最下部に配設されていないため熱源から最下部までのダクト８の風路中の熱ロスが大きく水温の上昇には非効率であるため蒸発皿３の開口面積を大きくする必要があり、貯蔵室の容積効率を上げることが出来ないという課題を有していた。
【０００８】
本発明は、上記従来の課題を解決するもので、水を蒸発させる因子として第二の因子である水温の上昇を大幅に向上させることにより蒸発性能を向上させることが出来るため、熱源アップでコンパクト化することにより貯蔵室の容積効率を大幅に上げることが出来るため消費者の食品の収納効率を大幅に改善出来る冷蔵庫を提供することを目的とする。
【課題を解決するための手段】
【０００９】
上記従来の課題を解決するために、上から冷蔵室、冷凍室、最下部に野菜室を構成した冷蔵庫において、冷蔵庫本体背面上部に圧縮機を、冷凍室の後方位置に蒸発器を、この蒸発器の下方に排水経路とドレン水を庫外に導く排水管を、冷蔵庫本体背面下部に除霜水蒸発装置を配置し、前記除霜水蒸発装置は、排水管の下方にドレン水を受ける上面を密閉化した皿形状の蒸発皿と、前記蒸発皿は発熱手段と、少なくとも２つの開口部と、内部空間に形成された風路と、前記風路に空気を強制対流させる送風手段で構成することを特徴としたものである。
【００１０】
これによって、蒸発皿のドレン水の水温を大幅に上昇させ蒸発性能を向上させることが出来るため、蒸発皿の開口面積を小さくし除霜水蒸発装置をコンパクト化することが出来、貯蔵室の容積効率を大幅に上げることが出来、消費者の食品の収納効率を大幅に改善出来る。
【発明の効果】
【００１１】
本発明は、上記従来の課題を解決するもので、蒸発皿のドレン水の水温を大幅に上昇させ蒸発性能を向上させることが出来るため、蒸発皿の開口面積を小さくし除霜水蒸発装置をコンパクト化することが出来、野菜室の容積効率を大幅に上げることが出来、消費者の食品の収納効率を大幅に改善出来る。
【発明を実施するための最良の形態】
【００１２】
第１の発明は、上から冷蔵室、冷凍室、最下部に野菜室を構成した冷蔵庫において、冷蔵庫本体背面上部に圧縮機を、冷凍室の後方位置に蒸発器を、この蒸発器の下方に排水経路とドレン水を庫外に導く排水管を、冷蔵庫本体背面下部に除霜水蒸発装置を配置し、前記除霜水蒸発装置は、排水管の下方にドレン水を受ける上面を密閉化した皿形状の蒸発皿と、前記蒸発皿は発熱手段と、少なくとも２つの開口部と、内部空間に形成された風路と、前記風路に空気を強制対流させる送風手段で構成することにより、蒸発皿のドレン水の水温を大幅に上昇させ蒸発性能を向上させることが出来るため、蒸発皿の開口面積を小さくし除霜水蒸発装置をコンパクト化することが出来、野菜室の容積効率を大幅に上げることが出来、消費者の食品の収納効率を大幅に改善出来る。
【００１３】
第２の発明は、第１の発明において、除霜水蒸発装置の蒸発皿の外面に発熱手段のコンデンサー冷媒配管を当接することにより、熱源の省エネが図れるとともに野菜室の容積効率を大幅に上げることが出来、消費者の食品の収納効率を大幅に改善出来る。
【００１４】
第３の発明は、第１の発明において、除霜水蒸発装置の蒸発皿の内側を区画する蒸発促進板を有し、蒸発促進板と蒸発皿の内面に発熱手段のコンデンサー冷媒配管を当接することにより、水と熱源の接触する表面積を向上させることが出来、水温の上昇を大幅に向上させることが出来るため除霜水蒸発装置のコンパクト化が図れ、最下部の野菜室の貯蔵効率を大幅に向上させることが出来る。
【００１５】
第４の発明は、第１の発明において、除霜水蒸発装置の蒸発皿内面に発熱手段のコンデンサー冷媒配管を螺旋形状として配設したことにより、水と熱源の接触する表面積を向上させることが出来、水温の上昇を大幅に向上させることが出来るため除霜水蒸発装置のコンパクト化が図れ、最下部の野菜室の貯蔵効率を大幅に向上させることが出来る。
【００１６】
第５の発明は、第１から４の発明のいずれか１つの発明において、除霜水蒸発装置の蒸発皿の外面に断熱層を設けたことによって、熱源利用の効率アップを図ることが出来、水温の上昇を大幅に向上させることが出来るため除霜水蒸発装置のコンパクト化が図れ、最下部の野菜室の貯蔵効率を大幅に向上させることが出来る。
【００１７】
以下、本発明の実施の形態について、図面を参照しながら説明する。なお、この実施の形態によって、この発明が限定されるものではない。
【００１８】
（実施の形態１）
図１（ａ）は、本発明の実施の形態１における冷蔵庫の正面図、図１（ｂ）は、中央断面図である。
【００１９】
図１において、冷蔵庫本体１０１の上部奥に構成された空間である第１の機械室１０３へ圧縮機１０２が構成されている。冷蔵庫本体１０１の構成を上から冷蔵室１０４と、冷蔵室１０４の下に並列に設置された貯氷室１０５と、第１の冷凍室１０６と、第１の冷凍室１０６の下に構成された第２の冷凍室１０７と、最下部に構成された野菜室１０８と、第２の冷凍室１０７のほぼ後方位置へ構成された蒸発器１０９と、冷蔵庫本体１０１の背面下部へ構成された第２の機械室１１１へ除霜水蒸発装置１１０が設けられている。なお、第１の冷凍室１０６は冷蔵温度帯や微冷凍温度帯等切り換え可能な貯蔵室としても良く、冷凍室に限定されるものではない。
【００２０】
図２（ａ）は除霜水蒸発装置１１０の概略図、図２（ｂ）は要部斜視図である。
【００２１】
図１、図２において、除霜水蒸発装置１１０の上方位置へ蒸発器１０９と、蒸発器１０９のドレン水２０１を導く排水経路２０２と、ドレン水２０１を庫外に導く排水管２０３と、除霜水蒸発装置１１０は、排水管２０３の下方にドレン水２０１を受ける蒸発皿２０４と、蒸発皿２０４は外面に当接する発熱手段のヒータ２０５と上面を密閉化した皿形状と、２つの開口部２０６と、内部空間に形成された風路２０７と、風路２０７に空気を強制対流させる送風手段２０８で構成する。
【００２２】
次に図１、図２を用いて除霜水蒸発装置１１０の蒸発作用について説明する。冷凍サイクルについては従来と同一構成に付き詳細説明を省略するが、蒸発器１０９は低温であり各貯蔵室庫内である冷蔵室１０４、貯氷室１０５、第１の冷凍室１０６、第２の冷凍室１０７、野菜室１０８の空気と熱交換する際に蒸発器１０９表面へ霜として形成されていく。圧縮機１０２の運転時間が経過するにつれ霜は蓄積されるため、適宜蒸発器１０９表面の霜を取り除くため熱源手段２１３が加熱され、霜を除霜しドレン水２０１は排水管２０３を経て蒸発皿２０４に供給される。
【００２３】
蒸発皿２０４の上部を密閉化することにより風路２０７はドレン水２０１の水面上を通る単独の風路構成となり、従来と比較し大幅な風速アップとなる。この風速アップによりドレン水２０１の蒸発性能は大幅に向上する。
【００２４】
また、蒸発皿２０４の外面に当接する発熱手段のヒータ２０５により、ドレン水２０１は周囲から効率よく温度を上昇させることにより水の飽和水蒸気圧を上昇させることが出来るため、蒸発性能を大幅に向上させることが出来る。
【００２５】
本発明において発熱手段のヒータ２０５は、例えば伝熱面積を拡大できるアルミ箔ヒータなどを使えば広範囲に熱を供与でき、しかも容易に密着できるので優れた温度上昇をもたらす。また、冷凍サイクル経路のコンデンサパイプをレイアウトする必要がないため、組立性が大幅に改善できる。なお、発熱手段のヒータ２０５の当接する箇所は蒸発皿２０４の外面としたが、ドレン水２０１が溜まるため、特に底、次いで横側が有効である。
【００２６】
以上のように、上から冷蔵室１０４、冷凍室１０７、最下部に野菜室１０８を構成した冷蔵庫において、冷蔵庫本体背面上部に圧縮機１０２を、冷凍室１０７の後方位置に蒸発器１０９を、この蒸発器１０９の下方に排水経路２０２とドレン水２０１を庫外に導く排水管２０３を、冷蔵庫本体背面下部に除霜水蒸発装置１１０を配置し、除霜水蒸発装置１１０の蒸発皿２０４の外面に発熱手段のヒータ２０５を当接させることにより、除霜水蒸発装置のコンパクト化が図れ、野菜室１０８の容積効率を大幅に上げることが出来、消費者の食品の収納効率を大幅に改善出来る。
【００２７】
なお、本実施の形態では冷蔵庫の最下段部を野菜室として説明したが、野菜以外の冷蔵貯蔵室として使用しても良い。
【００２８】
（実施の形態２）
図３（ａ）は、本発明の実施の形態２における除霜水蒸発装置３０１の概略図、図３（ｂ）はそのＡ−Ａ線断面図である。
【００２９】
実施の形態１と異なる点は、図３の除霜水蒸発装置３０１の蒸発皿３０２の外面に本体の冷凍システムに接続された発熱手段のコンデンサー冷媒配管３０３を当接させる構成とする。発熱手段のコンデンサー冷媒配管３０３は、冷凍サイクルにおいて凝縮温度相当に発熱するものである。このことにより、水温を効率よく大幅に上昇させることにより水の飽和温度水蒸気圧を上昇させることが出来るため、蒸発性能を大幅に向上させることが出来る。また、熱源の省エネを図ることが出来る。発熱手段のコンデンサー冷媒配管３０３は直接ドレン水２０１に接触しないため防錆手段は不要となる。
【００３０】
以上のように、除霜水蒸発装置の蒸発皿の外面に発熱手段のコンデンサー冷媒配管３０３を当接させることにより、水温を効率よく上昇させることができるので除霜水蒸発装置のコンパクト化が図れ、最下部の野菜室１０８の容積効率を大幅に向上させることが出来る。
【００３１】
（実施の形態３）
図４（ａ）は、本発明の実施の形態３における除霜水蒸発装置の蒸発皿４０２の概略図、図４（ｂ）はそのＡ−Ａ線断面図である。
【００３２】
実施の形態２と異なる点は、図４の蒸発皿４０２の内側を区画する蒸発促進板４０３を有し、蒸発促進板４０３と蒸発皿４０２の内面に本体の冷凍システムから接続された発熱手段のコンデンサー冷媒配管４０４を当接させる構成とする（当接箇所は図の斜線部）。
【００３３】
このとき、発熱手段のコンデンサー冷媒配管４０４は、例えばＵターン形状など考えられるが多様に構成可能であり本仕様に限定されるものではない。また、蒸発促進板４０３は、例えば熱伝導に優れるアルミ板などの金属が好ましい。このことより、熱源と水とを直接接触させ、かつ、蒸発促進板４０３で表面積を向上させることが出来、水温の上昇を大幅に向上させることが可能となる。また、蒸発皿４０２は蒸発促進板４０３により区画されているため水温の上昇に場所的なバラツキが小さくなり蒸発性能がさらに促進させることが出来る。
【００３４】
以上のように、除霜水蒸発装置の蒸発皿４０２の内側を区画する蒸発促進板４０３を有し、発熱手段のコンデンサー冷媒配管４０４を当接した構成により熱源と水が接触する表面積を向上させることが出来るため除霜水蒸発装置のコンパクト化が図れ、最下部の野菜室１０８の貯蔵効率を大幅に向上させることが出来る。
【００３５】
（実施の形態４）
図５は、本発明の実施の形態４における除霜水蒸発装置の蒸発皿５０２の概略図である。
【００３６】
実施の形態２と異なる点は、除霜水蒸発装置の蒸発皿５０２内面に発熱手段のコンデンサー冷媒配管５０３を螺旋形状として配設したことにより、水と熱源の接触する表面積を向上させることが出来、水温の上昇を大幅に向上させることが出来る。
【００３７】
以上のように、除霜水蒸発装置の蒸発皿５０２内面に発熱手段のコンデンサー冷媒配管５０３を螺旋形状として配設した構成により、水と熱源が接触する表面積を向上させ高密度化を得ることが出来るため除霜水蒸発装置のコンパクト化が図れ、最下部の野菜室１０８の貯蔵効率を大幅に向上させることが出来る。
【００３８】
なお、発熱手段のコンデンサー配管は多様に構成可能であり本仕様に限定されるものではない。
【００３９】
（実施の形態５）
図６は、本発明の実施の形態５における除霜水蒸発装置の蒸発皿６０２の概略図である。
【００４０】
実施の形態１から４と異なる点は、除霜水蒸発装置の蒸発皿６０２の外面は断熱層６０３を設けた構成としたものである。これによって、発熱手段のヒータ２０５（図示せず）や発熱手段のコンデンサー配管３０３、４０４、５０３（図示せず）の熱源の外部への放熱を抑制し、熱は専ら蒸発皿６０２の内側のドレン水２０１へ供与されるため熱効率をアップすることが出来る。
【００４１】
以上のように、除霜水蒸発装置の蒸発皿６０２の外面に断熱層６０３を設けることにより、熱源利用の効率アップを図ることが出来、水温の上昇を大幅に向上させることが出来るため除霜水蒸発装置のコンパクト化がさらに図れ、最下部の野菜室１０８の貯蔵効率を大幅に向上させることが出来る。
【産業上の利用可能性】
【００４２】
以上のように、本発明にかかる冷蔵庫の除霜水蒸発装置は、水温の上昇を大幅に向上させることにより蒸発性能を向上させることが出来、熱源アップにより、コンパクト化することが出来るため、冷蔵庫だけでなく除湿機、空調機、自動販売機など多種に渡る冷凍装置または除霜水の蒸発が必要な分野へ適用出来る。
【図面の簡単な説明】
【００４３】
【図１】（ａ）本発明の実施の形態１における冷蔵庫の正面図（ｂ）同冷蔵庫の中央断面図
【図２】（ａ）同冷蔵庫の除霜水蒸発装置の概略図（ｂ）同除霜水蒸発装置の要部斜視図
【図３】（ａ）本発明の実施の形態２における除霜水蒸発装置の概略図（ｂ）そのＡ−Ａ線断面図
【図４】（ａ）本発明の実施の形態３における冷蔵庫の除霜水蒸発装置の蒸発皿の概略図（ｂ）そのＡ−Ａ線断面図
【図５】本発明の実施の形態４における冷蔵庫の除霜水蒸発装置の蒸発皿の概略図
【図６】本発明の実施の形態５における冷蔵庫の除霜水蒸発装置の蒸発皿の概略図
【図７】（ａ）従来の冷蔵庫の断面図（ｂ）そのＡ−Ａ線断面図
【図８】従来の冷蔵庫の冷凍サイクル説明図
【符号の説明】
【００４４】
１０１  冷蔵庫本体
１０２  圧縮機
１０４  冷蔵室
１０５  貯氷室（冷凍室）
１０６  第１の冷凍室（冷凍室）
１０７  第２の冷凍室（冷凍室）
１０８  野菜室
１０９  蒸発器
１１０  除霜水蒸発装置
２０２  排水経路
２０３  排水管
２０４  蒸発皿
２０５  ヒータ（発熱手段）
２０６  開口部
２０７  風路
２０８  送風手段
３０１  除霜水蒸発装置
３０２  蒸発皿
３０３  コンデンサー冷媒配管（発熱手段）
４０２  蒸発皿
４０３  蒸発促進板
４０４  コンデンサー冷媒配管（発熱手段）
５０２  蒸発皿
５０３  コンデンサー冷媒配管（発熱手段）
６０２  蒸発皿
６０３  断熱層
【図５】
2010121842.tif 000003
【図８】
2010121842.tif 000004
【図１】
2010121842.tif 000005
【図２】
2010121842.tif 000006
【図３】
2010121842.tif 000007
【図４】
2010121842.tif 000008
【図６】
2010121842.tif 000009
【図７】
2010121842.tif 000010